Podtech/llm-jp-corpus-v4-ja_patent huggingface dataset:
【手続補正書】
【提出日】平成21年5月11日(2009.5.11)
【手続補正１】
【補正対象書類名】特許請求の範囲
【補正対象項目名】全文
【補正方法】変更
【補正の内容】
【特許請求の範囲】
【請求項１】
シェービングカッターとワークチャックに把持される内歯車とを、交差角を与えて噛み合わせ、シェービングカッター及びワークチャックの少なくとも一方を回転駆動させつつ前記内歯車の歯面を仕上げ加工する内歯シェービング装置であって、
前記ワークチャックとシェービングカッターとは、該ワークチャックを上側として、水平方向に相対移動可能に支持されており、
且つ、前記ワークチャックは前記シェービングカッターに対して接近・離反可能に支持され、前記シェービングカッターは、前記内歯車の回転軸線との交差角を与えるように、水平軸線回りに揺動自在に支持され、
前記ワークチャックは、前記内歯車の回転軸線を上下方向に向けて、シェービングカッターによる加工時に生じる削り粕が前記内歯車から下方へ落下し得るように、前記内歯車の外周面を把持して駆動する構成とされていることを特徴とする、内歯シェービング装置。
【請求項２】
前記ワークチャックは、側方へ移動可能に支持されるとともに前記内歯車の回転軸線を鉛直方向に向けて把持するように構成され、
前記ワークチャックの前記側方位置においてワーク交換するためのワーク搬送部を更に有し、
該ワーク搬送部は、前記ワークチャックが該ワーク搬送部上の前記内歯車を上方から把持し得るように、該内歯車をその回転軸線を鉛直方向に向けて支持する構成とされていることを特徴とする請求項１記載の内歯シェービング装置。
【請求項３】
前記ワークチャックと前記シェービングカッターとの間に位置するワーク交換位置に、前記内歯車を搬入し、該ワーク交換位置から前記内歯車を搬出するワーク搬送部を更に有し、
該ワーク搬送部は、前記ワークチャックが該ワーク搬送部上の前記内歯車を上方から把持し得るように、該内歯車をその回転軸線を鉛直方向に向けて支持する構成とされていることを特徴とする請求項１記載の内歯シェービング装置。
【請求項４】
前記シェービングカッター及び前記ワーク搬送部の各々が、前記シェービングカッターと前記ワークチャックに把持される内歯車との位相合わせを可能とするように、該内歯車の割り出し要素を有することを特徴とする請求項２又は３に記載の内歯シェービング装置。
【請求項５】
前記ワーク搬送部は、
前記ワークチャックの回転軸線と平行な第１揺動軸線を有して、前記ワークチャックの上下方向移動経路上に位置するワーク交換位置と該ワーク交換位置から側方へ離隔したワーク投入位置との間を、揺動するワーク搬入アームと、
該ワークチャックの回転軸線と平行な第２揺動軸線を有して、前記ワーク交換位置と該ワーク交換位置から側方へ離隔したワーク取出位置との間を揺動するワーク搬出アームと、有することを特徴とする請求項３記載の内歯シェービング装置。
【請求項６】
前記シェービングカッターは、前記内歯車内に進入した位置で、該内歯車を切り込み加工するために、水平移動自在に支持されていることを特徴とする請求項１に記載の内歯シェービング装置。
【請求項７】
前記ワークチャックを回転駆動させる主軸が該ワークチャックから上方に延設され、加工されるべき内歯車にクーラントを供給するクーラント供給孔が、前記主軸内に形成されていることを特徴とする請求項１又は６に記載の内歯シェービング装置。
【請求項８】
前記シェービングカッターは、回転駆動する前記内歯車から連れ回り回転自在に支持されている請求項１記載の内歯シェービング装置。
【手続補正書】
【提出日】平成21年5月1日(2009.5.1)
【手続補正１】
【補正対象書類名】特許請求の範囲
【補正対象項目名】請求項１
【補正方法】変更
【補正の内容】
【請求項１】
レーザ焼結により粉末材料から三次元物体を層毎に形成するための装置であって、
a.  床、該床と協働した可動性支持台、２つの反対の端部および天井を有するプロセス・チャンバ、
b.  材料の供給源から前記プロセス・チャンバに粉末材料を制御可能に供給するための粉末材料供給器、
c.  前記装置に移動可能に取り付けられかつ前記材料供給器と協働する、粉末材料を前記床に広げて前記２つの反対の端部の間に粉末床を形成する粉末スプレッダー、
d.  前記粉末材料を溶融して三次元物体を形成するために前記支持台により支持された前記粉末床内の材料に選択的に熱エネルギーを供給するのに効果的な熱エネルギー源、
e.  前記プロセス・チャンバに露出される表面を有し、フレーム内に取り付けられた、少なくとも１つのプロセス設備の機能窓、
f.  前記窓の露出面に不活性ガスを流動方向に供給する不活性ガス源、および
g.  前記窓に近接して取り付けられた不活性ガス・ディスペンサであって、前記露出面に亘り不活性ガスのカーテンを形成するのに該露出面に亘る効果的な速度で、レーザ焼結中に前記窓の前記露出面上に前記粉末材料からの化学副生成物の蓄積を最小にするのに効果的な２００未満の流動幾何学に特徴的なレイノルズ数を持つ流量で、不活性ガスを層流で分配するのに効果的な流動幾何学において前記露出面に対して少なくとも１つの正の流れの排出開口部を持つディスペンサ、
を組み合わせて備えた装置。
【手続補正書】
【提出日】平成21年6月2日(2009.6.2)
【手続補正１】
【補正対象書類名】特許請求の範囲
【補正対象項目名】全文
【補正方法】変更
【補正の内容】
【特許請求の範囲】
【請求項１】
インク送給チャネルを有するインク式のプリンタにて使用されるインクスティックであって、
インクスティック本体と、このインクスティック本体の外面上にある複数個のインクスティック側被検知部と、を備え、
インクスティック本体がインク送給チャネルに沿って動いていきインク送給チャネル内の所定位置を通過するときに、当該所定位置にて計数手段に当接してその計数手段を作動させるよう、各インクスティック側被検知部の形状が設定されたインクスティック。
【請求項２】
請求項１記載のインクスティックであって、
送給方向に沿いある程度の空間的広がりを有するインクスティック本体の送給方向先端とその逆側にある送給方向後端との間に、送給方向に沿って複数個のインクスティック側被検知部が間隔配置されており、
各インクスティック側被検知部の端部のうち各インクスティック側被検知部におけるその送給方向位置が互いに相応している端部を第１端、インクスティック本体のうちその送給方向先端とそれに最寄りのインクスティック側被検知部の第１端との間にある部分を先端部分、これと同じインクスティック本体のうちその送給方向後端とそれに最寄りのインクスティック側被検知部の第１端との間にある部分を後端部分、そのインクスティック本体上で隣同士のインクスティック側被検知部の第１端間にある部分を被検知部間部分と称することとしたとき、
互いに同一インクスティック本体に属する先端部分と後端部分を合わせた質量がそのインクスティック本体の被検知部間部分１個の質量と略等しいという関係が、先端部分、後端部分並びに１個又は複数個の被検知部間部分の間に成り立つように、上記複数個のインクスティック側被検知部が配置されたインクスティック。
【請求項３】
インク送給チャネルを有するインクジェットプリンタにて使用されるインクスティックであって、
インク送給チャネル沿いに送給方向へと動かせるようその形状が設定されており送給方向に沿ってある程度の空間的広がりを有するインクスティック本体を備え、
インクスティック本体が、送給方向に沿って広がる第１の部位、第２の部位、並びに第２の部位によって第１の部位から分離されている第３の部位を有し、
インクスティック本体の送給方向横断方向断面積が、第１の部位での断面積及びこれに等しい第３の部位での断面積に対し、第２の部位では約８０％未満となるよう設定されているインクスティック。
【請求項４】
それぞれ送給方向に沿ってある程度の空間的広がりを有することとなるよう単体に分けて形成された実質的に固体のインクスティックを複数個、互いに同一のインク送給チャネル沿いに互いに同一の送給方向へと進めていき、
インクスティックに設けられている複数箇所の所定部位について、当該所定部位がインク送給チャネル内の所定位置を通過したこと又はその時刻を各所定部位毎に判別する、
という動作を、インクスティックを入れて使用するインク式のプリンタにて実行する方法。
【手続補正書】
【提出日】平成21年6月1日(2009.6.1)
【手続補正１】
【補正対象書類名】特許請求の範囲
【補正対象項目名】全文
【補正方法】変更
【補正の内容】
【特許請求の範囲】
【請求項１】
その外面上に細長いガイド部が設けられており更にそのガイド部にインクスティック側被検知部が設けられているインクスティックを準備し、
相変化型インクジェットプリンタの固体インク送給系を構成するインクスティック送給チャネル内に、そのガイド部が他の部位より先に入るようインクスティックを装填方向に沿って装填し、
そのガイド部がインクスティック送給チャネル内の案内レールと接触して当該案内レールによりインクスティックが負われることとなるよう、インクスティック送給チャネル内にインクスティックを配置し、
案内レールによって案内しつつ、且つそのガイド部が計数手段に作用しているときには当該計数手段が第１の位置乃至姿勢を採りそのインクスティック側被検知部が当該計数手段に作用しているときには当該計数手段が第２の位置乃至姿勢を採ることとなるよう、インクスティック送給チャネル沿いに送給方向に向かいインクスティックを動かしていき、
計数手段の位置乃至姿勢が第１の位置乃至姿勢から第２の位置乃至姿勢へ若しくはその逆へと変化したこと又はその時点を検知する、
という動作を実行する方法。
【請求項２】
立体的外形を有しており且つインクスティック送給チャネル沿いに動かせるようその形状が設定されているインクスティック本体と、インクスティック本体の外面上に設けられたインクスティック側被検知部と、を備え、
インクスティック送給チャネル沿いに本インクスティックを動かしたときに、インクスティック送給チャネル内の可動部付き計数機構がインクスティック側被検知部により動かされることとなるよう、インクスティック側被検知部の形状が設定されたインクスティック。
【請求項３】
請求項２記載のインクスティックであって、インクスティック本体がインクスティック素材から、またインクスティック側被検知部もインクスティック素材それ自体を利用して、それぞれ形成されたインクスティック。
【請求項４】
相変化型インクジェットプリンタの固体インク送給系にて使用されるインクスティックであって、
インクスティック本体と、インクスティック本体の一部として形成された細長いインクスティック側ガイド部と、を備え、
本インクスティックを固体インク送給系内に装填したときインクスティック側ガイド部が固体インク送給系と接触して本インクスティックが固体インク送給系により負われることとなるよう、インクスティック本体が構成されており、
固体インク送給系内の計数手段と接触してこれを作動させるインクスティック側被検知部がインクスティック側ガイド部の一部として設けられたインクスティック。
【手続補正書】
【提出日】平成21年6月2日(2009.6.2)
【手続補正１】
【補正対象書類名】特許請求の範囲
【補正対象項目名】全文
【補正方法】変更
【補正の内容】
【特許請求の範囲】
【請求項１】
インクスティック送給チャネル沿いにインクスティックを流通させるインク送給系と、
被検知部を有するインクスティック追従器と、
インクスティック送給系沿いに流通中のインクスティックの所定部位及びインクスティック追従器の被検知部と当接し得るよう且つインクスティックの所定部位に当接したときその位置又は姿勢が変わるよう配置又は構成された部分を含む可動部付き計数機構と、
可動部付き計数機構がインクスティック追従器の被検知部と当接したかどうかを判別するコントローラと、
を備え、単体に分かれた実質的に固体のインクスティックを入れて使用するインク式のプリンタにて使用される装置。
【請求項２】
請求項１記載の装置であって、可動部付き計数機構が、根本部及び先端部を有するアーム部と、アーム部の動きを検知する検知器と、を有する装置。
【請求項３】
固体インク送給系を構成する送給チャネル内に固体のインクスティックを一般に複数個装填するステップと、
上記送給チャネルに沿ってインクスティックを流通させるステップと、
上記送給チャネルに沿ってインクスティック追従器をインクスティックに従動させるステップと、
インクスティックが上記送給チャネル内の所定位置を通過したこと又はその時刻をインクスティック毎にインクスティック計数機構により検知するステップと、
所定長の時間内に上記所定位置を通過したインクスティックの個数を計数するステップと、
インクスティック追従器が上記所定位置を通過したこと又はその時刻をインクスティック計数機構により検知するステップとを、
プリンタ用固体インク送給系にて実行する方法。
【請求項４】
請求項３記載の方法であって、更に、インクスティック追従器が上記所定位置を通過したこと又はその時刻がインクスティック計数機構により検知されたとき、それに応じてインクレベル信号例えばインクスティックが尽きかけていることを示す信号をコントローラに送るステップを、実行する方法。
【手続補正書】
【提出日】平成21年6月1日(2009.6.1)
【手続補正１】
【補正対象書類名】特許請求の範囲
【補正対象項目名】全文
【補正方法】変更
【補正の内容】
【特許請求の範囲】
【請求項１】
プリントヘッドに設けられたインク吐出用のノズルから作動信号に応じてインク滴を吐出させるインクジェットプリンタにて実行されるインク滴サイズ調整方法であって、
上記作動信号として第１の作動信号を与えつつ、
そのインクジェットプリンタ内の所定点を特定期間内に通過するインクの量と、
同期間内にノズルから吐出されるインク滴の個数と、を調べ、
調べて得られた通過インク量及び吐出インク滴個数に基づき代表的なインク滴サイズを導出し、
導出されたインク滴代表サイズが所定インク滴サイズ条件と合致しているかどうかを判別し、
合致していないならば上記作動信号を上記第１の作動信号とは異なる第２の作動信号にするインク滴サイズ調整方法。
【請求項２】
インクジェット生成用のノズルを複数個有するプリントヘッドと、
プリントヘッドにインクを送給するインク送給系と、
作動信号に応じ個々のノズルから選択的にインク滴を吐出させる複数個のインク滴吐出器と、
ノズルを作動させるべく上記作動信号を発生させる作動制御手段と、
所定期間内にインク送給系内を通過するインクの量を調べるインク計測系と、
上記所定期間内にプリントヘッドのノズルから吐出されたインク滴の個数を調べるインク滴個数計数手段と、
インク計測系及びインク滴個数計数手段から情報を受信して上記所定期間内にノズルから吐出されたインク滴の平均サイズを導出し、導出した平均サイズが所定インク滴サイズ条件に合致するかどうか調べ、合致していないならば作動制御手段によって上記作動信号を変化させる制御モジュールと、
を備えるインクジェットプリンタ。
【請求項３】
請求項２記載のインクジェットプリンタであって、インク送給系に入れられるインクが、単体に分けて形成された実質的に固体のインクスティックであり、インク計測系が、インクスティックの個数を計数するインクスティック個数計数手段を有するインクジェットプリンタ。
【請求項４】
作動信号によってインクジェット生成用のノズルから選択的にインク滴を吐出させるインクジェットプリンタ用のコントローラであって、
所定期間内にインク送給系を通過するインク量を示す通過インク量情報並びに同じ期間内にノズルから吐出されたインク滴の個数を示す吐出インク滴個数情報を受け取る情報入力手段と、
通過インク量及び吐出インク滴個数が所定条件に合致しているかどうかを調べる計算手段と、
通過インク量及び吐出インク滴個数が所定条件に合致していないならば上記作動信号を変化させる補償手段と、
を備えるコントローラ。
【手続補正書】
【提出日】平成21年6月2日(2009.6.2)
【手続補正１】
【補正対象書類名】特許請求の範囲
【補正対象項目名】全文
【補正方法】変更
【補正の内容】
【特許請求の範囲】
【請求項１】
印刷面に対するハンドヘルドプリンタの動きをトラッキングするナビゲーションサブシステムと、
前記動きに応じて、プリントヘッドから前記印刷面に画像を描画させるプリントヘッドコントローラと
を備え、
前記プリントヘッドコントローラは、ユーザにより指定される印刷領域を、予め定められたサイズに合うように調整するハンドヘルドプリンタ。
【請求項２】
前記プリントヘッドコントローラは、画像バッファに記憶された情報に応じて、前記プリントヘッドから前記印刷面に画像を描画させる、請求項１に記載のハンドヘルドプリンタ。
【請求項３】
前記プリントヘッドコントローラは、前記画像バッファ中のピクセルに応じて、画像を描画するか否かを決定する、請求項２に記載のハンドヘルドプリンタ。
【請求項４】
前記プリントヘッドコントローラは、前記ピクセルが既に印刷されているか否かの指示に応じて、画像を描画するか否かを決定する、請求項３に記載のハンドヘルドプリンタ。
【請求項５】
画像を格納するための画像バッファを更に含む、請求項１に記載のハンドヘルドプリンタ。
【請求項６】
前記画像を描画するための境界のセットを用いて、前記ユーザが前記印刷領域を指定するためのユーザインタフェースを更に含む、請求項１に記載のハンドヘルドプリンタ。
【請求項７】
前記プリントヘッドコントローラは、前記境界に最も近くなるように、前記予め定められたサイズに合わせて前記画像を拡大縮小する、請求項６に記載のハンドヘルドプリンタ。
【請求項８】
前記画像を描画するための開始位置をユーザが指定するためのユーザインタフェースを更に含む、請求項１に記載のハンドヘルドプリンタ。
【請求項９】
前記画像を前記画像バッファに転送するための入出力サブシステムを更に含む、請求項５に記載のハンドヘルドプリンタ。
【請求項１０】
前記ナビゲーションサブシステムは、１以上の光学モーションセンサを含む、請求項１に記載のハンドヘルドプリンタ。
【請求項１１】
印刷面に対するプリントヘッドの動きをトラッキングし、
ユーザにより指定される印刷領域を、予め定められたサイズに合うように調整し、前記動きに応じて、前記印刷面の調整された前記印刷領域に画像を描画することからなる、印刷方法。
【請求項１２】
前記画像を描画することは、画像バッファに記憶された情報に応じてインク滴を発射することからなる、請求項１１に記載の印刷方法。
【請求項１３】
前記インク滴の発射は、前記画像バッファ中のピクセルに応じて発射することからなる、請求項１２に記載の印刷方法。
【請求項１４】
前記インク滴の発射は、前記ピクセルが既に印刷されているか否かの指示に応じて前記インク滴を発射することからなる、請求項１３に記載の印刷方法。
【請求項１５】
前記インク滴の発射は、前記画像バッファ中の前記画像に応じて発射することからなる、請求項１２に記載の印刷方法。
【請求項１６】
前記印刷領域を定めるための境界のセットを指定することを更に含む、請求項１１に記載の印刷方法。
【請求項１７】
前記境界に最も近くなるように、前記予め定められたサイズに合わせて前記画像を拡大縮小することを更に含む、請求項１６に記載の印刷方法。
【請求項１８】
前記画像を描画するための開始位置を指定することを更に含む、請求項１１に記載の印刷方法。
【請求項１９】
前記画像を画像バッファに転送することを更に含む、請求項１１に記載の印刷方法。
【請求項２０】
前記トラッキングは、１以上の光学モーションセンサを使用してトラッキングすることを含む、請求項１１に記載の印刷方法。
【請求項２１】
前記プリントヘッドコントローラは、前記ハンドヘルドプリンタの現在位置および調整可能な時間間隔を用いて画像バッファにアクセスする、請求項１に記載のハンドヘルドプリンタ。
【請求項２２】
前記プリントヘッドがインク滴を発射させる速度に応じて、前記プリントヘッドの現在位置に基づく画像バッファへのアクセスに用いる時間間隔のパラメータを調整することを更に含む、請求項１２に記載の印刷方法。
【請求項２３】
前記プリントヘッドコントローラは、複数の予め定められたサイズから１つの前記サイズを選択し、前記印刷領域を、選択した前記サイズに調整する、請求項１に記載のハンドヘルドプリンタ。
【請求項２４】
前記複数の予め定められたサイズは、複数の標準サイズを含み、
前記プリントヘッドコントローラは、前記複数の標準サイズから、前記ユーザから指定される印刷領域に最も近いサイズを選択する、請求項２３に記載のハンドヘルドプリンタ。
【請求項２５】
前記ユーザに指定された印刷領域を調整することは、複数の予め定められたサイズから１つの前記サイズを選択し、前記印刷領域を選択した前記サイズに調整することを更に含む、請求項１１に記載の印刷方法。
【請求項２６】
前記複数の予め定められたサイズは、複数の標準サイズを含み、
複数の予め定められたサイズから１つの前記サイズを選択することは、前記複数の標準サイズから、前記ユーザから指定される印刷領域に最も近いサイズを選択することを含む、請求項２５に記載の印刷方法。
【手続補正書】
【提出日】平成21年6月1日(2009.6.1)
【手続補正１】
【補正対象書類名】特許請求の範囲
【補正対象項目名】全文
【補正方法】変更
【補正の内容】
【特許請求の範囲】
【請求項１】
送給方向に沿ってある程度の空間的広がりを有するインクスティックをインク送給チャネル沿いに送給方向へと動かしていく流通動作と、そのインクスティックの所定部位がインク送給チャネル内の所定位置を通過したかどうか又はその時点を判別する判別動作とを、
単体に分けて形成された実質的に固体のインクスティックを入れて使用するインク式のプリンタにて、少なくともそのインクスティックにおける上記所定部位の送給方向位置が互いに略等しくなるよう定められている第１及び第２のインクスティックそれぞれについて、実行する方法。
【請求項２】
請求項１記載の方法であって、更に、第１及び第２のインクスティックそれぞれについて、上記所定部位が上記所定位置を通過したかどうか又はその時点に関する判別結果情報を、プリンタ内のコントローラに供給する方法。
【請求項３】
インクスティック送給チャネルを有するインク式のプリンタにて使用されるインクスティックであって、
インクスティック素材から形成されたインクスティック本体と、
インクスティック本体がインクスティック送給チャネル内の所定位置を通過していくとき当接してインクスティック送給チャネル内の計数装置を動作させるようインクスティック素材それ自体を利用してインクスティック本体の外面上に形成されたインクスティック側被検知部と、
を備え、インクスティック本体の外面に占めるインクスティック側被検知部の面積割合が２５％未満であるインクスティック。
【請求項４】
単体に分けて形成された実質的に固体のインクスティックをその内部の経路に沿って進めるインク送給チャネルと、
インクスティックがインク送給チャネル内の経路に沿って進み通過していくときそのインクスティック上のインクスティック側被検知部に反応する検知器と、
検知器の反応回数を蓄積するカウンタと、
を備えるインク送給装置。
【手続補正書】
【提出日】平成21年7月21日(2009.7.21)
【手続補正１】
【補正対象書類名】明細書
【補正対象項目名】特許請求の範囲
【補正方法】変更
【補正の内容】
【特許請求の範囲】
【請求項１】
３次元曲面の少なくとも一部に近似する第１三角形を規定するデータを処理し、面の画像をレンダリングするのに使用する第２三角形を生成する、装置により実行する方法であって、
各第１三角形について、
前記第１三角形の頂点を含む位置に制御ポイントを配置して面パッチを規定し、前記第１三角形によって表わされたオブジェクト面の一部に近似させる工程と、
前記第１三角形を複数の三角形に分割する工程と、
前記分割により得られた各三角形に対して、前記第１三角形の面パッチを使用して、レンダリングするための前記第２三角形を規定する工程とを有し、
前記第２三角形の３次元内における頂点の位置は、前記分割により得られた三角形の頂点の前記３次元内で上方の前記面パッチの直近の制御ポイントまでの距離に基づいて決定することを特徴とする方法。
【請求項２】
前記面パッチは、バーンスタイン−ベジエ三角形パッチであることを特徴とする請求項１に記載の方法。
【請求項３】
前記面パッチは、３次バーンスタイン−ベジエ三角形パッチであることを特徴とする請求項２に記載の方法。
【請求項４】
前記面パッチは、ヘロン(Herron)パッチであることを特徴とする請求項１に記載の方法。
【請求項５】
３次元曲面の少なくとも一部に近似する第１三角形を規定するデータを処理し、面の画像をレンダリングするのに使用する第２三角形を生成する装置であって、
各第１三角形について、
前記第１三角形の頂点を含む位置に制御ポイントを配置して面パッチを規定し、前記第１三角形によって表わされたオブジェクト面の一部に近似させるパッチ規定手段と、
前記第１三角形を複数の三角形に分割する分割手段と、
前記分割により得られた各三角形に対して、前記第１三角形の面パッチを使用して、レンダリングするための前記第２三角形を規定する手段とを有し、
前記第２三角形の３次元内における頂点の位置は、前記分割により得られた三角形の頂点の前記３次元内で上方の前記面パッチの直近の制御ポイントまでの距離に基づいて決定するこことを特徴とする装置。
【手続補正書】
【提出日】平成21年3月10日(2009.3.10)
【手続補正１】
【補正対象書類名】特許請求の範囲
【補正対象項目名】全文
【補正方法】変更
【補正の内容】
【特許請求の範囲】
【請求項１】
電磁波センサーと電圧源から構成される起電力発生要素、該起電力により駆動されエレクトロクロミック材料を含有しＥＶの値が８．４以上の光量で光学濃度が変化する光学濃度変化要素、および該光学濃度変化要素と並列に接続した抵抗を有し、
該光学濃度変化要素が、アノードとカソードの対を有し、該アノードとカソードの対の間に異なる波長の光学濃度を変化させる少なくとも２種類のエレクトロクロミック材料を有しており、
ＥＶ＝８．４以上の条件下で用いられることを特徴とする光学濃度変化要素制御装置。
【請求項２】
前記光学濃度変化要素が、エレクトロクロミック材料を吸着させたナノ多孔質半導体材料を有し、かつ該ナノ多孔質半導体材料が２０より大きな粗さ係数をもつことを特徴とする請求項１記載の光学濃度変化要素制御装置。
【請求項３】
前記光学濃度要素変化要素の消色状態の波長４００ｎｍの光学濃度が０．２以下であることを特徴とする請求項１または２に記載の光学濃度変化要素制御装置。
【請求項４】
前記光学濃度変化要素の消色状態において、波長４００〜５００ｎｍの光学濃度の平均値、波長５００〜６００ｎｍの光学濃度の平均値、および６００〜７００ｎｍの光学濃度の平均値がいずれも０．１以下であることを特徴とする請求項１〜３のいずれかに記載の光学濃度変化要素制御装置。
【請求項５】
前記電磁波センサーが電磁波の強度に応じて抵抗が変化する材料であることを特徴とする請求項１〜４のいずれかに記載の光学濃度変化要素制御装置。
【請求項６】
前記起電力発生要素の電圧源が電池であることを特徴とする請求項１〜５のいずれかに記載の光学濃度変化要素制御装置。
【請求項７】
前記電磁波センサーがフォトトランジスタであることを特徴とする請求項１〜６のいずれかに記載の光学濃度変化要素制御装置。
【請求項８】
前記光学濃度変化要素が、エレクトロクロミック材料を吸着させたナノ多孔質半導体材料の層を少なくとも２層有することを特徴とする請求項２〜７のいずれかに記載の光学濃度変化要素制御装置。
【請求項９】
ＥＶ＝１０．４以上の条件下で用いられることを特徴とする請求項１〜８のいずれかに記載の光学濃度変化要素制御装置。
【請求項１０】
前記エレクトロクロミック材料がビオローゲン系色素、フェノチアジン系色素、スチリル系色素、フェロセン系色素、アントラキノン系色素、ピラゾリン系色素、フルオラン系色素又はフタロシアニン系色素であることを特徴とする請求項１〜９のいずれかに記載の光学濃度変化要素制御装置。
【請求項１１】
感光要素と、該感光要素へと透過する光量を調節する請求項１〜１０のいずれかに記載の光学濃度変化要素制御装置とを有することを特徴とする撮影システム。
【請求項１２】
前記感光要素が感光材料であることを特徴とする請求項１１記載の撮影システム。
【請求項１３】
前記感光材料がフィルムであることを特徴とする請求項１２記載の撮影システム。
【請求項１４】
前記感光要素がＣＣＤまたはＣＭＯＳ素子であることを特徴とする請求項１１記載の撮影システム。
【手続補正２】
【補正対象書類名】明細書
【補正対象項目名】発明の名称
【補正方法】変更
【補正の内容】
【発明の名称】光学濃度変化要素制御装置、及び該制御装置を有する撮影システム
【手続補正３】
【補正対象書類名】明細書
【補正対象項目名】０００１
【補正方法】変更
【補正の内容】
【０００１】
本発明は、電磁波の強度に応じた起電力を利用して光学濃度を変えるエレクトロクロミック材料を含有する光学濃度変化要素の制御装置、及び該光学濃度変化要素制御装置を有する撮影システムに関する。
【手続補正４】
【補正対象書類名】明細書
【補正対象項目名】００１７
【補正方法】変更
【補正の内容】
【００１７】
本発明は、光学濃度変化要素制御装置である。すなわち、電磁波センサーと電圧源から構成される起電力発生要素、該起電力により駆動されエレクトロクロミック材料を含有しＥＶの値が８．４以上の光量で光学濃度が変化する光学濃度変化要素、および該光学濃度変化要素と並列に接続した抵抗を有し、該光学濃度変化要素が、アノードとカソードの対を有し、該アノードとカソードの対の間に異なる波長の光学濃度を変化させる少なくとも２種類のエレクトロクロミック材料を有しており、ＥＶ＝８．４以上の条件下で用いられることを特徴とする光学濃度変化要素制御装置である。
【手続補正５】
【補正対象書類名】明細書
【補正対象項目名】００１８
【補正方法】変更
【補正の内容】
【００１８】
また、本発明は、感光要素と、該感光要素へと透過する光量を調節する上記の光学濃度変化要素制御装置とを有することを特徴とする撮影システムである。
【手続補正６】
【補正対象書類名】明細書
【補正対象項目名】００１９
【補正方法】削除
【補正の内容】
【手続補正７】
【補正対象書類名】図面
【補正対象項目名】図６
【補正方法】変更
【補正の内容】
【図６】
2005326642.tif 000001
【手続補正８】
【補正対象書類名】図面
【補正対象項目名】図７
【補正方法】変更
【補正の内容】
【図７】
2005326642.tif 000002
【手続補正書】
【提出日】平成21年4月9日(2009.4.9)
【手続補正１】
【補正対象書類名】特許請求の範囲
【補正対象項目名】全文
【補正方法】変更
【補正の内容】
【特許請求の範囲】
【請求項１】
利用される内蔵曲が仕向地毎に異なっている電子音楽装置であって、
複数の楽曲データと該複数の各楽曲データ毎にその仕向地を示す仕向地対応データとを対応付けて記憶する楽曲データ記憶手段と、
装置別の仕向地を示す仕向地データを記憶する仕向地データ記憶手段と、
前記楽曲データ記憶手段に記憶された楽曲データにアクセスするアクセス手段と、
前記楽曲データを利用しようとする際、前記仕向地データ記憶手段により記憶された仕向地データに合致する仕向地対応データに対応する楽曲データのみについて、前記アクセス手段によるアクセスを可能とする一方、その他の楽曲データについては前記アクセス手段によるアクセスを禁止するように制御するアクセス制御手段とを備えたことを特徴とする電子音楽装置。
【請求項２】
前記楽曲データ記憶手段は、複数の仕向地用の楽曲データ及び該楽曲データの各々に対応する仕向地対応データのすべてを記憶し、前記複数の仕向地用の電子音楽装置間において、各電子音楽装置に備えられる楽曲データ記憶手段が互いに同一の内容に構成されたことを特徴とする請求項１記載の電子音楽装置。
【請求項３】
複数の楽曲データと該複数の各楽曲データ毎にその仕向地を示す仕向地対応データとを対応付けて記憶した楽曲データ記憶手段と、装置別の仕向地を示す仕向地データを記憶した仕向地データ記憶手段とを備えた電子音楽装置を制御して、利用される内蔵曲が仕向地毎に異なるようにするためのプログラムであって、
前記電子音楽装置を制御するコンピュータに、
前記楽曲データ記憶手段に記憶された楽曲データにアクセスするアクセス手順と、
前記楽曲データを利用しようとする際、前記仕向地データ記憶手段に記憶された仕向地データに合致する仕向地対応データに対応する楽曲データのみについて、前記アクセス手順によるアクセスを可能とする一方、その他の楽曲データについては前記アクセス手順によるアクセスを禁止するように制御するアクセス制御手順とを実行させるためのプログラム。
【手続補正２】
【補正対象書類名】明細書
【補正対象項目名】００１３
【補正方法】変更
【補正の内容】
【００１３】
上記目的を達成するために本発明の請求項３のプログラムは、複数の楽曲データと該複数の各楽曲データ毎にその仕向地を示す仕向地対応データとを対応付けて記憶した楽曲データ記憶手段と、装置別の仕向地を示す仕向地データを記憶した仕向地データ記憶手段とを備えた電子音楽装置を制御して、利用される内蔵曲が仕向地毎に異なるようにするためのプログラムであって、前記電子音楽装置を制御するコンピュータに、前記楽曲データ記憶手段に記憶された楽曲データにアクセスするアクセス手順と、前記楽曲データを利用しようとする際、前記仕向地データ記憶手段に記憶された仕向地データに合致する仕向地対応データに対応する楽曲データのみについて、前記アクセス手順によるアクセスを可能とする一方、その他の楽曲データについては前記アクセス手順によるアクセスを禁止するように制御するアクセス制御手順とを実行させるためのプログラムであることを特徴とする。
【手続補正書】
【提出日】平成21年7月17日(2009.7.17)
【手続補正１】
【補正対象書類名】明細書
【補正対象項目名】００２１
【補正方法】変更
【補正の内容】
【００２１】
（実施形態１）
本発明の第１の実施の形態を図１と図２に基づいて説明する。図１は、本実施形態に係る電位測定装置の全体構成を示す。図１において、平板状の基板１００の表面上には、信号検知電極１０１、検知電極用配線１０２、参照電極１０３、参照電極用配線１０４が形成されている。検知電極１０１及び参照電極１０３の上部には、測定対象１１１が設置されている。また、基板１００と測定対象１１１の間において、周期的に振動する振動体１０５、振動体を振動させるための駆動機構１０７、および振動体を検知・参照両電極１０１、１０３に接触しないように中空に保持するための機構１０８が基板１００上に設置されている。この振動体１０５は開口１０６を有する。振動体１０５と開口１０６の組み合わせは、上記従来技術におけるシャッターに相当するため、以下、シャッターとも称する。ここで、振動体１０５は、参照電極１０３に対して、常に参照電極１０３と測定対象１１１の間に来る様に配されて接地されている静電シールド構造の機能を有する。
【手続補正２】
【補正対象書類名】明細書
【補正対象項目名】００５７
【補正方法】変更
【補正の内容】
【００５７】
図７は、揺動体５０４が揺動している様子を、B-B’断面図で模式的に示したものである。図７（１）は、揺動体５０４が静止状態あるいは揺動中に静止状態と同じ位置に達したときの状態（中立の状態）を示す。
【手続補正書】
【提出日】平成21年3月6日(2009.3.6)
【手続補正１】
【補正対象書類名】特許請求の範囲
【補正対象項目名】全文
【補正方法】変更
【補正の内容】
【特許請求の範囲】
【請求項１】
第１の発光素子、第２の発光素子、第１のトランジスタ、第２のトランジスタ、前記第１の発光素子に一定の電流を供給する定電流源、及びアンプを有し、
前記第１の発光素子の第１の電極は、前記第１のトランジスタのソース又はドレインの一方に電気的に接続され、
前記第１のトランジスタのソース又はドレインの他方は、前記アンプの入力端子と前記定電流源に電気的に接続され、
前記第２の発光素子の第１の電極は、前記第２のトランジスタのソース又はドレインの一方に電気的に接続され、
前記第２のトランジスタのソース又はドレインの他方は、前記アンプの出力端子に電気的に接続され、
前記第１の発光素子の第２の電極と前記第２の発光素子の第２の電極は、配線に電気的に接続され、
前記第１の発光素子と前記第２の発光素子の各々は、一対の電極の間に、有機化合物と無機化合物を含む第１の層と、発光物質を含む第２の層とを有することを特徴とする表示装置。
【請求項２】
請求項１において、
前記第１のトランジスタのゲートは、前記第１のトランジスタをオンにする電位に保たれていることを特徴とする表示装置。
【請求項３】
請求項１または請求項２において、
前記有機化合物は、４，４’−ビス［Ｎ−（１−ナフチル）−Ｎ−フェニルアミノ］ビフェニル、４，４’−ビス［Ｎ−（３−メチルフェニル）−Ｎ−フェニルアミノ］ビフェニル、４，４’，４’’−トリス（Ｎ，Ｎ−ジフェニルアミノ）トリフェニルアミン、４，４’，４’’−トリス［Ｎ−（３−メチルフェニル）−Ｎ−フェニルアミノ］トリフェニルアミン、４，４’−ビス｛Ｎ−［４−（Ｎ，Ｎ−ジ−ｍ−トリルアミノ）フェニル］−Ｎ−フェニルアミノ｝ビフェニル、１，３，５−トリス［Ｎ，Ｎ−ジ（ｍ−トリル）アミノ］ベンゼン、４，４’−ビス［Ｎ−（４−ビフェニリル）−Ｎ−フェニルアミノ］ビフェニル、４，４’，４’’−トリス（Ｎ−カルバゾリル）トリフェニルアミン、３−［Ｎ−（９−フェニルカルバゾール−３−イル）−Ｎ−フェニルアミノ］−９−フェニルカルバゾール、３，６−ビス［Ｎ−（９−フェニルカルバゾール−３−イル）−Ｎ−フェニルアミノ］−９−フェニルカルバゾール、フタロシアニン、銅フタロシアニン、バナジルフタロシアニン又は５，６，１１，１２−テトラフェニルナフタセンであることを特徴とする表示装置。
【請求項４】
請求項１乃至請求項３のいずれか一項において、
前記無機化合物は、酸化ジルコニウム、酸化ハフニウム、酸化バナジウム、酸化ニオブ、酸化タンタル、酸化クロム、酸化モリブデン、酸化タングステン、酸化チタン、酸化マンガン又は酸化レニウムであることを特徴とする表示装置。
【請求項５】
請求項１乃至請求項４のいずれか一項において、
前記第１の層と前記第２の層は積層していることを特徴とする表示装置。
【請求項６】
請求項１乃至請求項５のいずれか一項において、
前記アンプはバッファアンプ、オペアンプまたはセンスアンプであることを特徴とする表示装置。
【請求項７】
請求項１乃至請求項６のいずれか一項において、
前記第１の発光素子の総電流量Ｘを前記第２の発光素子の総電流量Ｙで除した値（Ｘ／Ｙ）は、１以上５以下であることを特徴とする表示装置。
【請求項８】
請求項１乃至請求項７のいずれか一項において、
前記第１の発光素子と前記第２の発光素子は、同一の絶縁表面上に設けられていることを特徴とする表示装置。
【請求項９】
請求項１乃至請求項８のいずれか一項において、
前記第１の発光素子、前記第２の発光素子、前記定電流源及び前記アンプは、同一の絶縁表面上に設けられていることを特徴とする表示装置。
【請求項１０】
請求項１乃至請求項９に記載の前記表示装置を用いた電子機器。
【手続補正書】
【提出日】平成21年1月29日(2009.1.29)
【手続補正１】
【補正対象書類名】明細書
【補正対象項目名】発明の名称
【補正方法】変更
【補正の内容】
【発明の名称】表示装置の作製方法
【手続補正２】
【補正対象書類名】特許請求の範囲
【補正対象項目名】全文
【補正方法】変更
【補正の内容】
【特許請求の範囲】
【請求項１】
半導体層を形成し、
前記半導体層上にゲート絶縁層を形成し、
前記ゲート絶縁層上にゲート電極層及び導電層を形成し、
前記半導体層に一導電型の不純物領域を形成し、
前記ゲート電極層上及び前記導電層上に層間絶縁層を形成し、
前記層間絶縁層に前記不純物領域及び前記導電層に達する開口部を形成し、
前記層間絶縁層上に設けられ且つ前記開口部にて前記不純物領域及び前記導電層と接する配線層を形成し、
前記層間絶縁層上に設けられ且つ前記開口部にて前記導電層と接する画素電極層を形成することを特徴とする表示装置の作製方法。
【請求項２】
半導体層を形成し、
前記半導体層上にゲート絶縁層を形成し、
前記ゲート絶縁層上にゲート電極層及び導電層を形成し、
前記半導体層に一導電型の不純物領域を形成し、
前記ゲート電極層上及び前記導電層上に層間絶縁層を形成し、
前記層間絶縁層に、前記不純物領域及び前記導電層に達する第１の開口部と、前記導電層に達する第２の開口部と、を形成し、
前記層間絶縁層上に設けられ且つ前記第１の開口部にて前記不純物領域及び前記導電層と接する配線層を形成し、
前記層間絶縁層上に設けられ且つ前記第２の開口部にて前記導電層と接する画素電極層を形成することを特徴とする表示装置の作製方法。
【請求項３】
半導体層を形成し、
前記半導体層上にゲート絶縁層を形成し、
前記ゲート絶縁層上にゲート電極層及び導電層を形成し、
前記半導体層に一導電型の不純物領域を形成し、
前記ゲート電極層上及び前記導電層上に層間絶縁層を形成し、
前記層間絶縁層に、前記不純物領域に達する第１の開口部と、前記導電層に達する第２の開口部と、を形成し、
前記層間絶縁層上に設けられ前記第１の開口部にて前記不純物領域と接し且つ前記第２の開口部にて前記導電層と接する配線層を形成し、
前記層間絶縁層上に設けられ且つ前記第２の開口部にて前記導電層と接する画素電極層を形成することを特徴とする表示装置の作製方法。
【請求項４】
半導体層を形成し、
前記半導体層上にゲート絶縁層を形成し、
前記ゲート絶縁層上にゲート電極層及び導電層を形成し、
前記半導体層に一導電型の不純物領域を形成し、
前記ゲート電極層上及び前記導電層上に層間絶縁層を形成し、
前記層間絶縁層に、前記不純物領域に達する第１の開口部と、前記導電層に達する第２の開口部と、前記導電層に達する第３の開口部と、を形成し、
前記層間絶縁層上に設けられ前記第１の開口部にて前記不純物領域と接し且つ前記第２の開口部にて前記導電層と接する配線層を形成し、
前記層間絶縁層上に設けられ且つ前記第３の開口部にて前記導電層と接する画素電極層を形成することを特徴とする表示装置の作製方法。
【請求項５】
請求項１乃至請求項４のいずれか一項において、
前記表示装置は、液晶表示装置又は自発光表示装置であることを特徴とする表示装置の作製方法。
【請求項６】
請求項１乃至請求項４のいずれか一項において、
前記画素電極層を形成した後に、
前記画素電極層の端部及び前記配線層を覆う隔壁を、絶縁性材料を含む液状の組成物を塗布することによって形成し、
前記ゲート電極層は、前記ゲート電極層と前記配線層との交差領域において枝分かれする形状を有することを特徴とする表示装置の作製方法。
【請求項７】
請求項１乃至請求項４のいずれか一項において、
前記画素電極層を形成した後に、
前記画素電極層の端部及び前記配線層を覆う隔壁を、絶縁性材料を含む液状の組成物を塗布することによって形成し、
前記配線層の形成時に、前記ゲート電極層と前記配線層との交差領域の周囲に配置され且つ前記配線層と電気的に接続しない複数の導電層を形成することを特徴とする表示装置の作製方法。
【手続補正書】
【提出日】平成21年5月28日(2009.5.28)
【手続補正１】
【補正対象書類名】特許請求の範囲
【補正対象項目名】全文
【補正方法】変更
【補正の内容】
【特許請求の範囲】
【請求項１】
少なくとも結着樹脂及び鉄チタン複合酸化物を含有する黒トナーであって、
該鉄チタン複合酸化物は着色剤であり、結着樹脂１００質量部に対し２０乃至７０質量部含有されており、
該黒トナーは、重量平均粒径（Ｄ４）が３．０乃至９．０μｍで、飽和磁化が２．０Ａｍ2／ｋｇ以下であり、
該黒トナーは、Ｘ線回折において、２θ＝３２．５乃至３３．１度に最大ピークを有し、該最大ピークの半値幅が０．２５度以下であり、
該黒トナーは、断面写真において、下記式で表される該鉄チタン複合酸化物の線形度の個数頻度分布に関して、線形度が２．４より小さい範囲において最大頻度を有し、且つ、線形度３．０以上の鉄チタン複合酸化物の割合が３０個数％より少ないことを特徴とする黒トナー。
線形度＝｛（鉄チタン複合酸化物の絶対最大長）2／鉄チタン複合酸化物の面積｝×π／４
【請求項２】
該黒トナーの重量平均粒径が３．０乃至７．０μｍであることを特徴とする請求項１に記載の黒トナー。
【請求項３】
前記鉄チタン複合酸化物は主成分としてＦｅＴｉＯ3−Ｆｅ2Ｏ3固溶体を含むことを特徴とする請求項１又は２に記載の黒トナー。
【請求項４】
前記鉄チタン複合酸化物の個数平均一次粒径（Ｄ１）が０．１０乃至０．３０μｍであり、該鉄チタン複合酸化物の下式で表される粒径の変動係数が４５％以下であることを特徴とする請求項１乃至３のいずれかに記載の黒トナー。
粒径の変動係数＝（粒径の標準偏差／個数平均一次粒径）×１００
【請求項５】
前記黒トナーは、断面写真において、該鉄チタン複合酸化物の線形度の個数頻度分布に関して、１．４乃至２．０の範囲において最大頻度を有することを特徴とする請求項１乃至４のいずれかに記載の黒トナー。
【請求項６】
前記黒トナーは、前記最大ピークの半値幅が０．２３度以下であることを特徴とする請求項１乃至５のいずれかに記載の黒トナー。
【請求項７】
前記黒トナーは、飽和磁化が１．５Ａｍ2／ｋｇ以下であることを特徴とする請求項１乃至６のいずれかに記載の黒トナー。
【請求項８】
前記鉄チタン複合酸化物が、結着樹脂１００質量部に対し２５乃至６０質量部含有されていることを特徴とする請求項１乃至７のいずれかに記載の黒トナー。
【請求項９】
前記結着樹脂は、（ａ）ポリエステル樹脂、（ｂ）ポリエステルユニットとビニル系重合体ユニットとが化学的に結合したハイブリッド樹脂、及び、（ｃ）ハイブリッド樹脂とポリエステル樹脂の混合物からなるグループより選ばれる樹脂であることを特徴とする請求項１乃至８のいずれかに記載の黒トナー。
【請求項１０】
前記黒トナーは、離型剤を含有しており、該離型剤は、示差走査熱量分析（ＤＳＣ）測定における吸熱曲線において、６０〜９０℃に吸熱メインピークを有することを特徴とする請求項１乃至９のいずれかに記載の黒トナー。
【請求項１１】
前記黒トナーの断面写真において観察される鉄チタン複合酸化物の分散粒径が０．３μｍより大きく１．２μｍ以下であることを特徴とする請求項１乃至１０のいずれかに記載の黒トナー。
【請求項１２】
前記黒トナーは、デジタルフルカラー方式の電子写真装置に用いられることを特徴とする請求項１乃至１１のいずれかに記載の黒トナー。
【請求項１３】
前記黒トナーは、磁性キャリアと混合されて二成分現像剤として用いられることを特徴とする請求項１乃至１２のいずれかに記載の黒トナー。
【手続補正書】
【提出日】平成21年3月5日(2009.3.5)
【手続補正１】
【補正対象書類名】特許請求の範囲
【補正対象項目名】全文
【補正方法】変更
【補正の内容】
【特許請求の範囲】
【請求項１】
１フレームを複数のサブフレームに分割して階調を表現する表示装置の駆動方法であって、
ｎビット（ｎは整数、０＜ｎ）の映像信号で階調を表現する場合に、
２進数で表示される階調の各ビットを第１ビット群、第２ビット群、第３ビット群の３種類に区別し、
前記１フレームを、２個のサブフレーム群に分割し、
前記第１ビット群に属するａビット分（ａは整数、０＜ａ＜ｎ）のサブフレームを、それぞれ３個以上に分割して、前記２個のサブフレーム群の一方と他方に半数ずつ、あるいは一方にｙ個、他方にｚ個（ｙ、ｚは整数、０＜ｚ≦ｙ）としたとき、０．５≦（ｚ／ｙ）≦１となるように配置し、
前記第２ビット群に属するｂビット分（ｂは整数、０＜ｂ＜ｎ）のサブフレームを、それぞれ２個に分割して、前記２個のサブフレーム群の一方と他方に１つずつ配置し、
前記第３ビット群に属するｃビット分（ｃは整数、０≦ｃ＜ｎ、ａ＋ｂ＋ｃ＝ｎ）のサブフレームを、前記２個のサブフレーム群のいずれか一方に配置することを特徴とする表示装置の駆動方法。
【請求項２】
１フレームを複数のサブフレームに分割して階調を表現する表示装置の駆動方法であって、
ｎビット（ｎは整数、０＜ｎ）の映像信号で階調を表現する場合に、
２進数で表示される階調の各ビットを第１ビット群、第２ビット群、第３ビット群の３種類に区別し、
前記１フレームを、ｋ個（ｋは整数、３≦ｋ）のサブフレーム群に分割し、
前記第１ビット群に属するａビット分（ａは整数、０＜ａ＜ｎ）のサブフレームを、それぞれ（ｋ＋１）個以上に分割して、前記ｋ個のサブフレーム群の各々に同数ずつ、あるいは前記ｋ個のサブフレーム群の各々に配置されたうちの最大の個数がＹ個、最小の個数がＺ個（Ｙ、Ｚは整数、０＜ｚ≦ｙ）としたとき、０．５≦（Ｚ／Ｙ）≦１となるように配置し、
前記第２ビット群に属するｂビット分（ｂは整数、０＜ｂ＜ｎ）のサブフレームを、それぞれｋ個に分割して、前記ｋ個のサブフレーム群の各々に１つずつ配置し、
前記第３ビット群に属するｃビット分（ｃは整数、０≦ｃ＜ｎ、ａ＋ｂ＋ｃ＝ｎ）のサブフレームを、それぞれ（ｋ−１）個以下に分割し、または分割せずに、前記ｋ個のサブフレーム群のうち少なくとも１個に１つずつ配置することを特徴とする表示装置の駆動方法。
【請求項３】
請求項１又は請求項２において、
前記ｎビットの映像信号のうち、最上位ビットを含み、上位ビットに属する少なくとも１ビットを前記第１ビット群に、続く少なくとも１ビットを前記第２ビット群に、残りを前記第３ビットに区別することを特徴とする表示装置の駆動方法。
【請求項４】
請求項１乃至請求項３のいずれか一において、
前記複数のサブフレーム群のうちの少なくとも一において、前記第１ビット群に属するビットに相当する全てのサブフレームが出現した後、前記第２ビット群又は前記第３ビット群に属するビットに相当する全てのサブフレームが出現することを特徴とする表示装置の駆動方法。
【請求項５】
請求項１乃至請求項３のいずれか一において、
前記複数のサブフレーム群のうちの少なくとも一において、前記第２ビット群又は前記第３ビット群に属するビットに相当する全てのサブフレームが出現した後、前記第１ビット群に属するビットに相当する全てのサブフレームが出現することを特徴とする表示装置の駆動方法。
【請求項６】
請求項１乃至請求項３のいずれか一において、
前記複数のサブフレーム群のうちの少なくとも一において、連続して出現する２つの前記サブフレームはそれぞれ、前記第１ビット群、前記第２ビット群、及び前記第３ビット群のうち異なるビット群に属するビットに相当するサブフレームであることを特徴とする表示装置の駆動方法。
【請求項７】
請求項１乃至請求項６のいずれか一において、
前記複数のサブフレーム群のうちの少なくとも一における前記サブフレームの出現順序は、連続する２フレームのうちの一方と他方とで異なることを特徴とする表示装置の駆動方法。
【請求項８】
請求項１乃至請求項６のいずれか一において、
前記複数のサブフレーム群のうちの少なくとも一における前記サブフレームの出現順序は、奇数フレームと偶数フレームとで異なることを特徴とする表示装置の駆動方法。
【請求項９】
請求項１乃至請求項８のいずれか一に記載の駆動方法を用いて画像又は映像の表示を行うことを特徴とする表示装置。
【請求項１０】
請求項９に記載の表示装置と、操作キーとを具備していることを特徴とする電子機器。
【手続補正書】
【提出日】平成20年12月19日(2008.12.19)
【手続補正１】
【補正対象書類名】特許請求の範囲
【補正対象項目名】請求項２
【補正方法】変更
【補正の内容】
【請求項２】
熱輸送媒体（４）用の流路（１３）は、光学的に活性な鏡面（１２）の近くに配置され、基板（１１）の中で大部分は半径流方向を有することを特徴とする請求項１に記載の配置。
【手続補正書】
【提出日】平成21年4月28日(2009.4.28)
【手続補正１】
【補正対象書類名】特許請求の範囲
【補正対象項目名】全文
【補正方法】変更
【補正の内容】
【特許請求の範囲】
【請求項１】
大面積基板上の電子デバイスを検査するための装置であって、
上部に基板支持体が配置された検査プラットホームと、
基板支持体に移動可能に配置されたエンドエフェクタと、
検査プラットホームに接続された１又はそれ以上の検査コラムとを含み、各々の検査コラムは光軸と検査領域を有し、基板は単一軸方向に移動可能であり、この単一軸は１又はそれ以上の検査コラムの光軸に直交し、検査コラムの集合的検査領域は基板の全幅又は全長をカバーするように構成され、これによって、基板が単一軸に沿って装置内を移動するときに、検査カラムは基板全体を検査することが可能である装置。
【請求項２】
基板支持体は検査プラットホームに対して移動可能である請求項１記載の装置。
【請求項３】
基板支持体は検査チャンバに収納され、検査チャンバは真空ポンプに接続されている請求項１記載の装置。
【請求項４】
１又はそれ以上の検査コラムは電子ビームコラムを備えた請求項１記載の装置。
【請求項５】
基板支持体に結合されたプローバを備えた請求項１記載の装置。
【請求項６】
プローバは基板の寸法より大きな少なくとも１つの寸法を有するフレームを備えた請求項５記載の装置。
【請求項７】
プローバは１又はそれ以上のプローババーを備えた請求項５記載の装置。
【請求項８】
１又はそれ以上の検査コラムは６又はそれ以上の検査コラムを含む請求項１記載の装置。
【請求項９】
６又はそれ以上の検査コラムは、基板支持体の上方で実質的に直線上に位置する請求項８記載の装置。
【請求項１０】
大面積基板上の電子デバイスを検査するためのシステムであって、
検査プラットホームと、
検査プラットホーム上に配置された基板支持体を備え、基板支持体は大面積基板を受領するサイズを有し、
基板支持体内に配置されたエンドエフェクタを備え、基板支持体は基板支持体に対して基板を移動するように構成され、
基板支持体に結合されたプローバ支持体と、
検査プラットホームの上面に結合された複数の検査デバイスを備え、複数の検査デバイスの各々は検査領域を有し、複数の検査デバイスは間隔を配して配置され、基板の全長又は全幅を検査するのに十分な集合的検査領域を形成し、これによって、基板が単一軸に沿ってシステム内を移動するときに、検査デバイスは基板全体を検査することが可能であるシステム。
【請求項１１】
複数の検査デバイスの各々は光軸を有し、基板は光軸に直交する方向に移動可能である請求項１０記載のシステム。
【請求項１２】
複数の検査デバイスの各々は電子ビームコラムを備えた請求項１０記載のシステム。
【請求項１３】
複数の検査デバイスは少なくとも６個の電子ビームコラムを含む請求項１０記載のシステム。
【請求項１４】
複数の検査デバイスは実質的に直線上に位置する請求項１０記載のシステム。
【請求項１５】
基板支持体に結合されたプローバを備えた請求項１０記載のシステム。